(57)【特許請求の範囲】
【請求項１】
円管状又はケーブル状の被着体に巻き付けられる巻き付け部と、第１印刷面を備えた第１ラベル部と、前記第１ラベル部に連設され、第２印刷面を備えた第２ラベル部と、を有し、前記第１印刷面及び前記第２印刷面のうち少なくとも一方に印字オブジェクトが印刷され、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続される端末の演算手段に対し、
前記印字オブジェクトの内容に対し所定の相関を介して対応づけられる模様を特定する、模様特定手順と、
前記印字オブジェクトが前記第１印刷面及び前記第２印刷面のうち少なくとも一方に形成され、かつ、前記模様特定手順で特定された模様が前記第１印刷面及び前記第２印刷面のうち少なくとも一方の外縁部か若しくは前記巻き付け部に形成される、模様付きラベル印字データを生成する、印字データ生成手順と、
前記印字データ生成手順で生成した前記模様付きラベル印字データを、前記作成装置へ出力する印字データ出力手順と、
を実行させるための、巻き付けラベルの作成処理プログラム。
【請求項２】
請求項１記載の巻き付けラベルの作成処理プログラムにおいて、
前記演算手段に対し、さらに、
作成済みの前記巻き付けラベルに係わる識別情報と、その識別情報を備えた前記巻き付けラベルに形成された前記模様の外観画像とを、リスト形式で表示するリスト表示手順を実行させる
ことを特徴とする巻き付けラベルの作成処理プログラム。
【請求項３】
請求項１記載の巻き付けラベルの作成処理プログラムにおいて、
前記演算手段に対し、さらに、
模様の粗さに関する設定入力を受け付ける第１受付手順を有し、
前記印字データ生成手順では、
前記模様特定手順で特定された模様が、前記第１受付手順で受け付けた粗さ態様で形成される、前記模様付きラベル印字データを生成する
ことを特徴とする巻き付けラベルの作成処理プログラム。
【請求項４】
請求項１記載の巻き付けラベルの作成処理プログラムにおいて、
前記演算手段に対し、さらに、
前記模様の形成箇所に関する指示入力を受け付ける第２受付手順を有し、
前記印字データ生成手順では、
前記模様特定手順で特定された模様が、前記第２受付手順で受け付けた箇所に形成される、前記模様付きラベル印字データを生成する
ことを特徴とする巻き付けラベルの作成処理プログラム。
【請求項５】
請求項１記載の巻き付けラベルの作成処理プログラムにおいて、
前記印字データ生成手順では、
前記模様特定手順で特定された模様が前記第１印刷面及び前記第２印刷面のうち少なくとも一方の前記外縁部に形成される、前記模様付きラベル印字データを生成する
ことを特徴とする巻き付けラベルの作成処理プログラム。
【請求項６】
請求項５記載の巻き付けラベルの作成処理プログラムにおいて、
前記印字データ生成手順では、
前記模様特定手順で特定された模様が、前記第１印刷面の前記外縁部及び前記第２印刷面の前記外縁部において、前記第１印刷面と前記第２印刷面との境界線に関して互いに線対称となるように形成される、前記模様付きラベル印字データを生成する
ことを特徴とする巻き付けラベルの作成処理プログラム。
【請求項７】
請求項５又は請求項６記載の巻き付けラベルの作成処理プログラムにおいて、
前記印字データ生成手順では、
前記模様特定手順で特定された塗りつぶし部及び空白部の組み合わせパターンからなる前記模様が形成される、前記模様付きラベル印字データを生成する
ことを特徴とする巻き付けラベルの作成処理プログラム。
【請求項８】
請求項１記載の巻き付けラベルの作成処理プログラムにおいて、
前記印字データ生成手順では、
前記模様特定手順で特定された模様が前記巻き付け部に形成される、前記模様付きラベル印字データを生成する
ことを特徴とする巻き付けラベルの作成処理プログラム。
【請求項９】
請求項８記載の巻き付けラベルの作成処理プログラムにおいて、
前記印字データ生成手順では、
前記模様特定手順で特定された、前記巻き付け部の延設方向若しくは前記延設方向に直交する方向に延びる複数の直線の組み合わせパターンからなる前記模様が形成される、前記模様付きラベル印字データを生成する
ことを特徴とする巻き付けラベルの作成処理プログラム。
【請求項１０】
請求項１乃至請求項９のいずれか１項記載の巻き付けラベルの作成処理プログラムにおいて、
前記模様特定手順では、
所定の計算式で表される関数を前記相関として用いて、前記印字オブジェクトの内容に対応づけられる模様を特定する
ことを特徴とする巻き付けラベルの作成処理プログラム。
【請求項１１】
請求項１０記載の巻き付けラベルの作成処理プログラムにおいて、
前記模様特定手順では、
ハッシュ関数を用いて、前記印字オブジェクトの内容に対応づけられる模様を特定する
ことを特徴とする巻き付けラベルの作成処理プログラム。
【請求項１２】
円管状又はケーブル状の被着体に巻き付けられる巻き付け部と、第１印刷面を備えた第１ラベル部と、前記第１ラベル部に連設され、第２印刷面を備えた第２ラベル部と、を有し、前記第１印刷面及び前記第２印刷面のうち少なくとも一方に印字オブジェクトが印刷され、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルを作成する印刷装置であって、
被印字媒体を搬送する搬送手段と、
搬送手段により搬送される前記被印字媒体に対し印刷を行う印刷手段と、
前記印字オブジェクトが前記第１印刷面及び前記第２印刷面のうち少なくとも一方に形成され、かつ、前記印字オブジェクトの内容に対し所定の相関を介して対応づけられる模様が前記第１印刷面及び前記第２印刷面のうち少なくとも一方の外縁部か若しくは前記巻き付け部に形成される、模様付きラベル印字データを取得する、印字データ取得手段と、
前記印字データ取得手段により取得された前記模様付きラベル印字データを前記被印字媒体に形成するように、前記印刷手段を制御する、印刷制御手段と、
を有することを特徴とする印刷装置。
【発明の詳細な説明】
【技術分野】
【０００１】
本発明は、被着体の外周部に巻き付けて使用する巻き付けラベルを作成するための、巻き付けラベルの作成処理プログラム及び印刷装置に関する。
【背景技術】
【０００２】
被着体の外周部に巻き付けて貼り付ける、巻き付けラベルが知られている（例えば、特許文献１参照）。この巻き付けラベル（貼り合わせタグ）は、被着体（商品）に巻き付けられる巻き付け部（取り付け部）と、所望の印字オブジェクト（例えば定価・品名等）が印刷されて表示されるラベル部（表示部）とを備えている。この巻き付けラベルの使用時には、上記巻き付け部を被着体の外周部に巻き付けて貼り付けるとともに、ラベル部の一方側半分を他方側へと折り返し（裏面どうしを貼り合わせるようにしつつ）貼り付けて使用される。
【先行技術文献】
【特許文献】
【０００３】
【特許文献１】特開２００３−５８０６２号公報
【発明の概要】
【発明が解決しようとする課題】
【０００４】
上記したように、巻き付けラベルは、平面的に作成されたものを立体的に巻き付けて使用する特殊なラベルである。ここで、例えば多数の被着体が密集して配置されそれぞれに巻き付けラベルが貼り付けられている場合、多数の被着体それぞれに設けられた多数の巻き付けラベルも互いに密集して配置されることとなる。このような場合、各ラベルの第１印刷面及び第２印刷面の少なくとも一方（以下適宜、単に「印刷面」という）に印刷される印字オブジェクトは、折り重なるように密集している他のラベルの陰になる。この結果、例えば各ラベルを順番に１枚１枚めくっていく等の操作をしなければ、ユーザは目的とする巻き付けラベルを見つけ出すことができず、不便である。上記従来技術においては、そのような点までは特に配慮されていなかった。
【０００５】
本発明の目的は、多数の巻き付けラベルが互いに密集して配置されている場合であっても、目的とする巻き付けラベルを容易に見つけ出すことができる、巻き付けラベルの作成処理プログラム及び印刷装置を提供することにある。
【課題を解決するための手段】
【０００６】
上記目的を達成するために、本願発明の巻き付けラベルの作成処理プログラムは、円管状又はケーブル状の被着体に巻き付けられる巻き付け部と、第１印刷面を備えた第１ラベル部と、前記第１ラベル部に連設され、第２印刷面を備えた第２ラベル部と、を有し、前記第１印刷面及び前記第２印刷面のうち少なくとも一方に印字オブジェクトが印刷され、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続される端末の演算手段に対し、前記印字オブジェクトの内容に対し所定の相関を介して対応づけられる模様を特定する、模様特定手順と、前記印字オブジェクトが前記第１印刷面及び前記第２印刷面のうち少なくとも一方に形成され、かつ、前記模様特定手順で特定された模様が前記第１印刷面及び前記第２印刷面のうち少なくとも一方の外縁部か若しくは前記巻き付け部に形成される、模様付きラベル印字データを生成する、印字データ生成手順と、前記印字データ生成手順で生成した前記模様付きラベル印字データを、前記作成装置へ出力する印字データ出力手順と、を実行させる。
【０００７】
本願発明では、上記印刷面若しくは巻き付け部に、上記印字オブジェクトとは別に、模様が印刷される。すなわち、巻き付けラベル作成処理プログラムが端末の演算手段で実行されると、模様特定手順で、印字オブジェクトに対し対応づけられる、模様が特定される。この対応付けを表す相関の例としては、例えば、予めテーブルに記録されている各印字オブジェクトと各模様とを対応づけや、所定の計算式で表される関数、等がある。その後、印字データ生成手順で、上記のような相関によって特定された模様と上記編集された印字オブジェクトとの両方を含む、模様付きラベル印字データが生成される。そして、印字データ出力手順で、その生成された模様付きラベル印字データが、巻き付けラベルの作成装置へと出力される。
【０００８】
この結果、作成装置において、印字オブジェクトが上記印刷面に形成され、上記模様が上記印刷面の外縁部（若しくは巻き付け部）に形成された、模様付きの巻き付けラベルが作成される。これにより、ユーザは、折り重なるように密集して上記印刷面の印字オブジェクトが見えなくても、例えば上記相関が記載された資料を見ながら、上記印刷面の外縁部（若しくは巻き付け部）にある模様を探すことで、目的とする巻き付けラベルを容易に見つけ出すことができる。この結果、利便性を向上することができる。
【発明の効果】
【０００９】
本発明によれば、多数の巻き付けラベルが互いに密集して配置されている場合であっても、目的とする巻き付けラベルを容易に見つけ出すことができる。
【図面の簡単な説明】
【００１０】
【図１】本発明の一実施形態による操作端末、携帯端末、及びラベル作成装置の機能的構成を表す機能ブロック図である。
【図２】印字前の被印字テープの外観を表す説明図、及び、印字後の被印字テープの外観を表す説明図、である。
【図３】作成された巻き付けラベルの外観を表す平面図、及び、第２ラベル部を第１ラベル部側へ折り返した後の外観を表す平面図である。
【図４】ケーブルに取り付けられて使用される巻き付けラベルの外観を表す説明図である。
【図５】本発明の一実施形態の比較例を表す説明図である。
【図６】本発明の一実施形態の手法の概要を表す説明図である。
【図７】本発明の一実施形態に係る、操作端末、携帯端末、ラベル作成装置、及びデータベースを備えたラベル作成システム全体を表すシステム構成図である。
【図８】操作端末の表示部に表示される、テンプレートを含む編集画面を表す説明図である。
【図９】データベース中の「Ｎａｍｅ」ファイル、及び、このファイルの各レコードのデータに基づいてハッシュ関数で生成した模様、をそれぞれ表す説明図である。
【図１０】作成された巻き付けラベルの使用状態の外観、及び、これらのラベルが密集して配置された場合の外観、をそれぞれ表す説明図である。
【図１１】操作端末の表示部に表示される、粗さ選択画面を表す説明図である。
【図１２】携帯端末の表示部に表示される、ラベルリストを含むリスト表示画面を表す説明図である。
【図１３】操作端末のＣＰＵが実行する制御手順を表すフローチャートである。
【図１４】ステップＳ１５の詳細手順を表すフローチャートである。
【図１５】ステップＳ３０の詳細手順を表すフローチャートである。
【図１６】巻き付けラベル作成装置の制御回路のＣＰＵが実行する制御手順を表すフローチャートである。
【図１７】携帯端末のＣＰＵが実行する制御手順を表すフローチャートである。
【図１８】Ｔ型ラベルを作成する変形例における、巻き付けラベルの外観を表す平面図、及び、第２ラベル部を第１ラベル部側へ折り返した後の外観を表す平面図である。
【図１９】Ｔ型ラベルを作成する変形例における、ケーブルに取り付けられて使用される巻き付けラベルの外観を表す説明図である。
【発明を実施するための形態】
【００１１】
以下、本発明の一実施形態を図面を参照しつつ説明する。
【００１２】
図１を用いて、本実施形態に係わるラベル作成装置１、操作端末３００Ａ、携帯端末３００Ｂそれぞれの機能的構成を説明する。なお、操作端末３００Ａ及び操作端末３００Ｂが、各請求項記載の端末に相当する。
【００１３】
＜ラベル作成装置の構成＞
図１において、ラベル作成装置１（巻き付けラベルの作成装置に相当）は、制御回路２と、操作部３と、表示部４と、各種情報を記憶するＲＡＭ５と、搬送ローラ６（搬送手段に相当）と、印字ヘッド７（印刷手段に相当）と、カットレバー８と、カッタ９と、通信制御部６０と、を有する。
【００１４】
ラベル作成装置１には、被印字テープ１０を巻回したテープロール１０Ａ（本来は渦巻き状であるが簡略化して同心円で図示している）が装着される。被印字テープ１０は、この例では複数の被印字部をテープ搬送方向（長手方向）に沿って設けた、いわゆるダイカットラベルテープ（詳細は後述）である。
【００１５】
制御回路２は、図示しないＣＰＵ及びＲＯＭを備えている。制御回路２は、上記ＲＡＭ５の一時記憶機能を利用しつつ、上記ＲＯＭに予め記憶された各種プログラム（後述の図１６のフローを実行する巻き付けラベルの印刷作成処理のためのプログラムを含む）を実行するとともに、ラベル作成装置１全体の制御を行う。
【００１６】
搬送ローラ６は、印字ヘッド７に対向して設けられており、テープロール１０Ａから繰り出される被印字テープ１０を印字ヘッド７との間で挟持する。搬送ローラ６は、回転することによって被印字テープ１０をテープロール１０Ａから繰り出しながら搬送する。
【００１７】
印字ヘッド７は、搬送ローラ６によって搬送される被印字テープ１０の各被印字部（詳細は後述）に対し、ユーザ（操作者）が操作入力した文字・図像等の所望の印字オブジェクトを印刷する。
【００１８】
カッタ９は、ユーザによるカットレバー８の操作によって作動し、搬送方向に沿って複数の巻き付けラベル１００が形成された印字後の被印字テープ１０′を切断する。
【００１９】
＜操作端末の構成＞
操作端末３００Ａは、ＣＰＵ３０３（演算手段に相当）と、例えばＲＡＭやＲＯＭ等からなるメモリ３０４と、上記操作部３０２と、上記表示部３０１と、ハードディスク装置等からなり各種情報を記憶する大容量記憶装置３０５と、無線通信を介したラベル作成装置１の上記情報通信制御部６０との情報送受信の制御を行う通信制御部３０６とを備えている。
【００２０】
ＣＰＵ３０３は、ＲＡＭの一時記憶機能を利用しつつＲＯＭに予め記憶されたプログラムに従って信号処理を行い、それによってラベル作成装置１との間で各種の指示信号・情報信号の送受を行うようになっている。なお、ＲＯＭに記憶された上記プログラムには、後述する図１３、図１４、図１５のフローの各手順を実行するための、本実施形態による巻き付けラベルの作成処理プログラムが含まれている。
【００２１】
また、操作端末３００Ａは、データベースＤＢ（後述）から、後述する模様Ｍ付きの巻き付けラベル１００を生成するための各種ファイルを取得できるようになっている（詳細は後述）。
【００２２】
＜携帯端末の構成＞
携帯端末３００Ｂは、例えば、ブルートゥースやＷｉ−Ｆｉの相互認識無線通信、通常のケーブル接続の相互認識有線通信等に対応する機能を備えたＰＤＡ（携帯情報端末）やいわゆるスマートフォン（ＰＤＡ機能を備えた携帯電話）等の情報端末である。この携帯端末３００Ｂは、上記相互認識有線・無線通信を介して、上記操作端末３００Ａから（データベースＤＢからのファイル送信を含む）の情報受信が可能である（後述する図７参照）。なお、この携帯端末３００Ｂの構成は、上記した操作端末３００Ａの構成と同様であるため、その詳細な説明は省略する。なお、この携帯端末３００Ｂのメモリ３０４のＲＯＭに記憶されたプログラムには、後述する図１７のフローの各手順を実行するための、本実施形態による巻き付けラベルの作成処理プログラムが含まれている。
【００２３】
＜被印字テープの外観＞
図２（ａ）及び図２（ｂ）に、印字前の被印字テープ１０及び印字後の被印字テープ１０′の外観をそれぞれ示す。
【００２４】
図２（ａ）に示すように、印字前の被印字テープ１０は、剥離性を有する長尺の剥離材１１と、剥離材１１の一方側（図示上側）の表面に長手方向に沿って所定の小間隔で設けられた矩形のラベル台紙１２と、を備えている。
【００２５】
ラベル台紙１２は、裏面に設けられた適宜の粘着剤層により上記剥離材１１に剥離可能に接着されている。またラベル台紙１２は、切り取り線１３に沿って切り取り可能に設けられたラベル素材１４を備えている。
【００２６】
そして、図２（ｂ）に示す、印字後の被印字テープ１０′では、上記構成の被印字テープ１０の上記ラベル素材１４（詳細には後述の第１印刷面１６ａ及び第２印刷面１７ａに相当する部分）に対し、上記印字ヘッド７によって印字Ｒ１及び印字Ｒ２が印刷されることで、巻き付けラベル１００が生成されている。巻き付けラベル１００は、上記切り取り線１３に沿ってラベル台紙１２から切り取って剥離材１１から剥がすことができる。
【００２７】
＜巻き付けラベルの外観＞
上記のようにして生成された巻き付けラベル１００は、図３（ａ）に示すように、図示左右方向に延びる細長の矩形の巻き付け部１５と、巻き付け部１５の左右方向一端部（この例では右方端部）から図示左右方向に連結され（この例では一体的に連接され）、上記印字Ｒ１が印刷された第１印刷面１６ａを備えた第１ラベル部１６と、第１ラベル部１６から図示上下方向の一方側（この例では下方側）に連接され、上記印字Ｒ２が印刷された第２印刷面１７ａを備えた第２ラベル部１７と、を有する。第１ラベル部１６と第２ラベル部１７とは、左右方向に横長の同形の矩形状となっている。
【００２８】
印字Ｒ１において、文字列「ＡＢＣ」（印字オブジェクトに相当）が、第１印刷面１６ａの上下方向略中央部において、巻き付け部１５と反対側の右方端部に寄せて、正立した姿勢で左右方向に印刷されている。
【００２９】
印字Ｒ２において、文字列「ＡＢＣ」（印字オブジェクトに相当）が、第２印刷面１７ａの上下方向略中央部において、巻き付け部１５と反対側の右方端部に寄せて、１８０°回転した倒立した姿勢で左右方向に印刷されている。
【００３０】
そして、上記構成の巻き付けラベル１００は、使用時には、まず、図３（ｂ）に示すように、第２ラベル部１７を、印刷面１７ａが第１ラベル部１６の背面側で露出するように山折りの形（図３（ａ）に山折り線Ｋを一点鎖線で示す）で第１ラベル部１６側へと折り返され（白矢印参照）、折り返された第２ラベル部１７が第１ラベル部１６に対し（それらの裏面の粘着剤層により）貼り付けられる。
【００３１】
なお、図３に示すように（後述の図４も参照）、上記第１ラベル部１６及び第２ラベル部１７の外縁部（後述の図４に示すようにこの例では上縁部）には、各巻き付けラベル１００に固有の模様Ｍが形成されている（詳細は後述。なお図２では図示省略）。なお、図３（ａ）に示すように、この例では、第１ラベル部１６に形成される模様Ｍと、第２ラベル部１７に形成される模様Ｍとは、上記山折り線Ｋ（言い換えれば印刷面１６ａと印刷面１７ａとの境界線）に関して、互いに線対称となるように形成されている。
【００３２】
＜巻き付けラベルの使用形態＞
その後、上記図３（ｂ）のように折り返された巻き付けラベル１００は、図４（ａ）に示すように、図示上下方向を軸心方向とする円管状又はケーブル状の被着体２０（この例ではケーブル。以下適宜、単に「ケーブル２０」と称する）の周囲に巻き付け部１５の左右方向略中央部が位置するように巻き付けてから折り返される。次に、巻き付け部１５の裏面の接着剤層により、巻き付け部１５の折り返しによる重なり部分を互いに接着するとともに、巻き付け部１５のケーブル２０周囲の巻き付けた部分をケーブル２０の周囲に接着する。
【００３３】
以上により、ケーブル２０に巻き付けラベル１００が取り付けられ、重なり合った第１ラベル部１６と第２ラベル部１７とが巻き付け部１５から、図示左右方向に突出する（いわゆるＰ型ラベル）。図４（ａ）はケーブル２０に取り付けられた巻き付けラベル１００を正面側（第１ラベル部１６側）から見た外観を示している。図示のように、第１ラベル部１６において、第１印刷面１６ａに上記印字Ｒ１として文字列「ＡＢＣ」が、巻き付け部１５と反対側の端部（文字列「ＡＢＣ」の向きの後端部）に寄せた位置態様で正立姿勢で表記されている。
【００３４】
図４（ｂ）は、ケーブル２０に取り付けられた巻き付けラベル１００を背面側（第２ラベル部１７側）から見た外観を示している。図示のように、第２ラベル部１７において、第２印刷面１７ａに印字Ｒ２として文字列「ＡＢＣ」が、巻き付け部１５と反対側の端部（文字列「ＡＢＣ」の向きの前端部）に寄せた位置態様で正立姿勢で表記されている。
【００３５】
＜比較例＞
上記のように、平面的に作成される巻き付けラベル１００は、被着体２０に立体的に巻き付けて使用する特殊なラベルである。ここで、本実施形態の比較例として、図５（ａ）に示すように、第１及び第２ラベル部１６，１７に文字列「ＭＮＰ」が形成された巻き付けラベル（以下適宜、単に、文字列「ＭＮＰ」の巻き付けラベル、等と称する）１００、文字列「ＪＫＬ」の巻き付けラベル１００、文字列「ＧＨＩ」の巻き付けラベル１００、文字列「ＤＥＦ」の巻き付けラベル１００、文字列「ＡＢＣ」の巻き付けラベル１００が作成された場合を考える。これら互いに文字列の内容が異なる５つの巻き付けラベル１００がそれぞれケーブル２０に貼り付けられる場合に、例えば図５（ｂ）に示すように、それらケーブル２０が互いに密集して配置されると、ケーブル２０それぞれに設けられた５つの巻き付けラベル１００も互いに密集して配置されることとなる。
【００３６】
このような場合、図示のように、各ラベルの文字列「ＭＮＰ」「ＪＫＬ」「ＧＨＩ」「ＤＥＦ」等は、折り重なるように密集したラベル群の陰になる結果、例えば各ラベルを順番に１枚１枚めくっていく等の操作をしなければ、ユーザが見つけ出すことができず、不便である。
【００３７】
＜実施形態の手法の概要＞
そこで、本実施形態では、上記を解消するために、図６に示すように、上記第１印刷面１６ａ及び第２印字面１７ａの外縁部に、所定の模様Ｍが印刷される。この模様Ｍは、各巻き付けラベル１００ごとに互いに異なる態様となっており、各巻き付けラベル１００の文字列の内容と、それぞれに付された模様Ｍとは、所定の相関（詳細は後述）によって関連づけられており、ユーザは、折り重なるように密集し各巻き付けラベル１００の文字列が見えなくても、上記相関を用いて目的とする巻き付けラベル１００の模様Ｍを特定することで、当該巻き付けラベル１００を容易に見つけ出すことができる。
【００３８】
＜実施形態のシステム構成＞
以下、上記手法を実現するための本実施形態のシステム構成を、順を追って説明する。まず、本実施形態のラベル作成システム構成を、図７に示す。図示のように、このラベル作成システムは、上記操作端末３００Ａ、携帯端末３００Ｂ、及びラベル作成装置１と、データベースＤＢとから構成されている。なお、データベースは、操作端末３００Ａの大容量記憶装置３０５内に設けられていてもよい。
【００３９】
＜テンプレート＞
上記構成において、まず、巻き付けラベル１００の作成の際には、図８（ａ）に示すように、操作端末３００Ａにおいて、適宜の操作部３０２の操作によって、表示部３０１にテンプレートＴＰを含む編集画面３０１Ａが表示される。テンプレートＴＰは、この例では、巻き付けラベル１００の外観イメージと同等の態様となっており、上記巻き付け部１５、上記第１ラベル部１６、及び上記第２ラベル部１７の画像イメージ（以下適宜、単に「巻き付け部１５」「第１ラベル部１６」「第２ラベル部１７」等と称す）をそれぞれ備えている。第１ラベル部１６には「Ｇｒｏｕｐ」欄４１、「ＩＤ」欄４２、「Ｆｉｒｓｔ  Ｎａｍｅ」欄４３、及び「Ｌａｓｔ  Ｎａｍｅ」欄４４が設けられている。そして、第１ラベル部１６の外縁部（上縁部）には、上記模様Ｍが配置されることを表す「Ｐａｔｔｅｒｎ」表示欄４５が配置されている。
【００４０】
なお、上記模様Ｍは、ユーザの操作部３０２の操作で、巻き付けラベル１００のいずれの箇所に設けるかを選択することができる。図８（ａ）は、上記のように第１ラベル部１６の上縁部に模様Ｍを配置する場合に対応したテンプレートＴＰを示しており、図８（ｂ）は、第１ラベル部１６の上縁部に模様Ｍを配置する場合に対応したテンプレートＴＰを示している。この結果、図８（ｂ）の編集画面３０１Ａでは、上記「Ｐａｔｔｅｒｎ」表示欄４５は、第１ラベル部１６の下端に配置されている。なお、上記以外に、例えば模様Ｍを巻き付け部１５に配置することもでき、対応するテンプレート（図示せず）、この場合、当該テンプレートを含む編集画面において、上記「Ｐａｔｔｅｒｎ」表示欄４５は巻き付け部１５に配置される。
【００４１】
＜データベース印刷＞
本実施形態では、上述したテンプレートＴＰにより割り付けられる文字列の内容を、データベースのファイルのレコードにより指定する、いわゆるデータベース印刷が行われる。データベースＤＢには、この例では、文字列をそれぞれ割り当てた複数の「Ｎａｍｅ」ファイルが記憶されている。図９（ａ）に、このデータベースＤＢ中の「Ｎａｍｅ」ファイルの一例を示す。
【００４２】
図９（ａ）に示す「Ｎａｍｅ」ファイルにおいて、各レコードの識別番号を表す「ＩＤ」、各レコードのグループ分けを表す「Ｇｒｏｕｐ」、各レコードに含まれるファーストネーム及びラストネームの文字列を表す「Ｆｉｒｓｔ  Ｎａｍｅ」「Ｌａｓｔ  Ｎａｍｅ」のフィールドが設けられている。
【００４３】
そして、例えば、「Ｇｒｏｕｐ：Ｂ０１」「ＩＤ：９８３９６４５５６」で特定されるレコードでは、人物の姓名のうち名を表す「Ｌｎｃａｓ」の文字列がフィールド「Ｆｉｒｓｔ  Ｎａｍｅ」の記憶内容として割り当てられ、姓を表す「Ｈａｒｄｃａｓｔｌｅ」の文字列がフィールド「Ｌａｓｔ  Ｎａｍｅ」の記憶内容として割り当てられている。
【００４４】
同様に、「Ｇｒｏｕｐ：Ａ０２」「ＩＤ：９０７０９９２６２」のレコードでは、「Ａｎｄｒｅｗ」の文字列がフィールド「Ｆｉｒｓｔ  Ｎａｍｅ」に割り当てられ、「Ｓｈｅｅｎ」の文字列がフィールド「Ｌａｓｔ  Ｎａｍｅ」に割り当てられている。また同様に、「Ｇｒｏｕｐ：Ａ０２」「ＩＤ：８８０３６２５５３」のレコードでは、「Ｐｅｒｃｅｖａｌ」の文字列がフィールド「Ｆｉｒｓｔ  Ｎａｍｅ」に割り当てられ、「Ｌａｎｆｒａｎｃ」の文字列がフィールド「Ｌａｓｔ  Ｎａｍｅ」に割り当てられている。また同様に、「Ｇｒｏｕｐ：Ａ０１」「ＩＤ：４４２９８６４５２」のレコードでは、「Ｉｎｎｏｃｅｎｔ」の文字列がフィールド「Ｆｉｒｓｔ  Ｎａｍｅ」に割り当てられ、「Ｂａｇｗｅｌｌ」の文字列がフィールド「Ｌａｓｔ  Ｎａｍｅ」に割り当てられている。
【００４５】
巻き付けラベル１００の作成時には、前述のテンプレートＴＰに備えられる、「Ｇｒｏｕｐ」欄４１、「ＩＤ」欄４２、「Ｆｉｒｓｔ  Ｎａｍｅ」欄４３、及び「Ｌａｓｔ  Ｎａｍｅ」欄４４、それぞれに対し、上記のような「Ｎａｍｅ」ファイルの各レコードの内容（文字列）が指定され割り付けられることで、対応する巻き付けラベル１００がラベル作成装置１において順次作成される。
【００４６】
上記データベース印刷により生成される巻き付けラベル１００を、ケーブル２０に取り付けられた使用時の態様で、図１０（ａ）に示す。図１０（ａ）に示すように、右側から左側に向かって、「Ｇｒｏｕｐ：Ｂ０１」「ＩＤ：９８３９６４５５６」のレコードに対応し第１ラベル部１６の第１印刷面１６ａに「Ｂ０１」「９８３９６４５５６」「Ｌｎｃａｓ」「Ｈａｒｄｃａｓｔｌｅ」の文字列が印刷された（但し、煩雑防止のため図中ではＦｉｒｓｔＮａｍｅの文字列「Ｌｎｃａｓ」のみを図示。以下同様）巻き付けラベル１００Ａと、「Ａ０２」「９０７０９９２６２」「Ａｎｄｒｅｗ」「Ｓｈｅｅｎ」の文字列が印刷された巻き付けラベル１００Ｂと、「Ａ０２」「８８０３６２５５３」「Ｐｅｒｃｅｖａｌ」「Ｌａｎｆｒａｎｃ」の文字列が印刷された巻き付けラベル１００Ｃと、「Ａ０１」「４４２９８６４５２」「Ｉｎｎｏｃｅｎｔ」「Ｂａｇｗｅｌｌ」の文字列が印刷された巻き付けラベル１００Ｄと、が作成される（各ラベルの模様Ｍについては後述）。
【００４７】
＜模様の生成＞
ここで、前述したように、本実施形態では、各巻き付けラベル１００において、上記Ｇｒｏｕｐ」欄４１、「ＩＤ」欄４２、「Ｆｉｒｓｔ  Ｎａｍｅ」欄４３、及び「Ｌａｓｔ  Ｎａｍｅ」欄４４にそれぞれ対応した文字列以外に、「Ｐａｔｔｅｒｎ」表示欄４５に対応した模様Ｍが印字形成される。各巻き付けラベル１００における模様Ｍは、上記データベースＤＢの「Ｎａｍｅ」ファイル中の各レコードの上記４つのフィールド（「Ｇｒｏｕｐ」「ＩＤ」「ＦｉｒｓｔＮａｍｅ」「ＬａｓｔＮａｍｅ」）に含まれる文字列に対し、適宜のハッシュ関数（詳細な説明は省略）を適用することで、操作端末３００ＡのＣＰＵ３０３によって自動生成される。
【００４８】
一般に、ハッシュ関数は、与えられた入力値から、規則性のない固定長の値を生成する演算手法であり、得られた値が「ハッシュ値」となる。ハッシュ関数は、同じ入力値からは必ず同じ値が得られる一方、少しでも異なる入力値からはまったく違う値が得られるという特徴がある不可逆な一方向関数を含むため、ハッシュ値から入力値を割り出すことはできない性質がある。この例では、「Ｎａｍｅ」ファイルの各レコードに含まれる文字列に上記ハッシュ関数を適用することで、５つの塗りつぶし部及び空白部の組み合わせによるパターンからなる、上記模様Ｍが各レコードごとに異なる態様で生成される。
【００４９】
前述の図９（ａ）に示す例に沿うと、「Ｇｒｏｕｐ：Ｂ０１」「ＩＤ：９８３９６４５５６」のレコードでは、それら「Ｂ０１」「９８３９６４５５６」「Ｌｎｃａｓ」「Ｈａｒｄｃａｓｔｌｅ」の文字列に上記ハッシュ関数を適用した結果、図９（ｂ）に示すように、上記５つの組み合わせにおいて、第２番目と第４番目とが例えば黒色による上記塗りつぶし部、それ以外の第１番目、第３番目、第５番目が上記空白部となる態様の模様Ｍ（□■□■□）が生成される。
【００５０】
同様に、「Ｇｒｏｕｐ：Ａ０２」「ＩＤ：９０７０９９２６２」のレコードでは、「Ａ０２」「９０７０９９２６２」「Ａｎｄｒｅｗ」「Ｓｈｅｅｎ」の文字列に上記ハッシュ関数を適用した結果、第１番目と第３〜５番目とが上記塗りつぶし部、それ以外の第２番目が上記空白部となる態様の模様Ｍ（■□■■■）が生成される。
【００５１】
同様に、「Ｇｒｏｕｐ：Ａ０２」「ＩＤ：８８０３６２５５３」のレコードでは、「Ａ０２」「８８０３６２５５３」「Ｐｅｒｃｅｖａｌ」「Ｌａｎｆｒａｎｃ」の文字列に上記ハッシュ関数を適用した結果、第２〜第５番目が上記塗りつぶし部、それ以外の第１番目が上記空白部となる態様の模様Ｍ（□■■■■）が生成される。
【００５２】
同様に、「Ｇｒｏｕｐ：Ａ０１」「ＩＤ：４４２９８６４５２」のレコードでは、「Ａ０１」「４４２９８６４５２」「Ｉｎｎｏｃｅｎｔ」「Ｂａｇｗｅｌｌ」の文字列に上記ハッシュ関数を適用した結果、第１番目、第３番目、第５番目が上記塗りつぶし部、それ以外の第２番目、第４番目が上記空白部となる態様の模様Ｍ（■□■□■）が生成される。
【００５３】
＜模様の印刷＞
そして、上記のように各レコードに対応して生成された各模様Ｍは、前述のように各レコードを用いたデータベース印刷によって巻き付けラベル１００が作成される際、第１ラベル部１６の上縁部に併せて印字形成される。すなわち、上記図１０（ａ）において、「Ｇｒｏｕｐ：Ｂ０１」「ＩＤ：９８３９６４５５６」のレコードに対応した上記巻き付けラベル１００Ａでは、第１ラベル部１６の第１印刷面１６ａにおける上記「Ｌｎｃａｓ」等の文字列に加え、第１印刷面１６ａ上縁部に上述の態様の模様Ｍ（□■□■□）が印刷されている。
【００５４】
同様に、巻き付けラベル１００Ｂでは、上記「Ａｎｄｒｅｗ」等の文字列に加え、第１印刷面１６ａ上縁部に上述の態様の模様Ｍ（■□■■■）が印刷されている。また同様に、巻き付けラベル１００Ｃでは、上記「Ｐｅｒｃｅｖａｌ」等の文字列に加え、第１印刷面１６ａ上縁部に上述の態様の模様Ｍ（□■■■■）が印刷されている。また同様に、巻き付けラベル１００Ｄでは、上記「Ｉｎｎｏｃｅｎｔ」等の文字列に加え、第１印刷面１６ａ上縁部に上述の態様の模様Ｍ（■□■□■）が印刷されている。
【００５５】
なお、本実施形態では、上記模様Ｍの粗さ態様、すなわち模様Ｍを比較的密にするか疎にするか（例えば上記のように５つの塗りつぶし部又は空白部の組み合わせとするか、若しくは、３つの塗りつぶし部又は空白部の組み合わせとするか、等）をユーザの所望により選択することができる。例えば、図１１に示すように、操作端末３００Ａの表示部３０１に表示された粗さ選択画面３０１Ｂにおいて、「パターンの粗さはどれくらいにしますか」のメッセージと共に、上記５つの塗りつぶし部又は空白部の組み合わせに対応した「５分割」チェックボックスと、４つの塗りつぶし部又は空白部の組み合わせに対応した「５分割」チェックボックスと、３つの塗りつぶし部又は空白部の組み合わせに対応した「３分割」チェックボックスと、が設けられており、操作部３０２を介した適宜の操作で、いずれかのチェックボックスにチェックすることにより、模様Ｍを構成する上記パターンの粗さを選択することができる。図示の例は、上述した例に対応した「５分割」のチェックボックスにチェックされた状態を示している。
【００５６】
なお、上記では、各巻き付けラベル１００の第１及び第２ラベル部１６，１７における印字内容と模様Ｍとの対応付けを、相関としてのハッシュ関数を用いて行ったが、これに限られない。すなわち、所定の計算式で表される上記ハッシュ関数以外の関数を用いて、上記対応付けを行ってもよいし、各ラベル１００の印字内容と模様Ｍとを一対一に関連づけて記録したテーブル（例えば操作端末３００Ａや携帯端末３００Ｂのメモリ３０４に記憶）、若しくは、適宜の書類図表等を用いて上記対応付けを行ってもよい。
【００５７】
＜模様を用いた巻き付けラベルの探索＞
そして、前述したように、本実施形態では、上記のように互いに異なる態様で第１ラベル部１６の上縁部に形成された模様Ｍを手がかりにすることで、例えば図１０（ｂ）に示すように、上記巻き付けラベル１００Ａ（上記文字列「Ｌｎｃａｓ」等を備える）、巻き付けラベル１００Ｂ（上記文字列「Ｉｎｎｏｃｅｎｔ」等を備える）、巻き付けラベル１００Ｃ（上記文字列「Ｐｅｒｃｅｖａｌ」等を備える）、巻き付けラベル１００Ｄ（上記文字列「Ａｎｄｒｅｗ」等を備える）が折り重なるように密集して配置されていても、対応する模様Ｍを手がかりに探すことで、目的とする巻き付けラベル１００を見つけ出すことができる。その際の探索手順を、以下順を追って説明する。
【００５８】
＜ラベルリスト＞
前述のようにして、操作端末３００Ａにより上記テンプレートＴＰ及び上記「Ｎａｍｅ」ファイルが用いられることで、ラベル作成装置１によりデータベース印刷による各巻き付けラベル１００の作成が行われた後、上記「Ｎａｍｅ」ファイルは、操作端末３００Ａから携帯端末３００Ｂに送信される。これにより、図１２に示すように、携帯端末３００Ｂの表示部３０１に表示されるリスト表示画面３０１Ｃに、上記「Ｎａｍｅ」ファイルに基づくラベルリストＬＬが表示される。  ラベルリストＬＬには、前述の図９に示した「Ｎａｍｅ」ファイルの内容に対応し、上記のようにして作成済みの巻き付けラベル１００それぞれに対応したレコード内容を表示するために、「Ｇｒｏｕｐ」「ＩＤ」「ＦｉｒｓｔＮａｍｅ」「ＬａｓｔＮａｍｅ」の各欄が設けられている。またラベルリストＬＬにはさらに、各レコードに対応した上記模様Ｍを表示するために、「Ｐａｔｔｅｒｎ」欄が設けられている。なお、この表示される模様Ｍは、後述のように携帯端末３００Ｂにおいて上記ハッシュ関数を用いて独自に生成したものであるが、上記ラベル作成時に操作端末３００Ａ側で生成したものを操作端末３００から受信し、これを表示するようにしてもよい。
【００５９】
すなわち、図示の例では、例えば、Ｇｒｏｕｐ：「Ａ０２」、ＩＤ：「９０７０９９２６２」、Ｆｉｒｓｔ  Ｎａｍｅ：「Ａｎｄｒｅｗ」、Ｌａｓｔ  Ｎａｍｅ：「Ｓｈｅｅｎ」の各文字列が上記第１ラベル部１６に印字形成されている巻き付けラベル１００（すなわち上記図１０に示した巻き付けラベル１００Ｂ）には、前述したように第１番目と第３〜５番目が上記塗りつぶし部、それ以外の第２番目が上記空白部となる、模様Ｍ（■□■■■）が形成されていることが、表示されている。
【００６０】
また、Ｇｒｏｕｐ：「Ｂ０１」、ＩＤ：「２４３９０８１３８」、Ｆｉｒｓｔ  Ｎａｍｅ：「Ｂａｌｄｗｉｎ」、Ｌａｓｔ  Ｎａｍｅ：「Ｏｔｗａｙ」の各文字列が印字形成されている巻き付けラベル１００には、第１〜５番目のすべてが上記塗りつぶし部となる、模様Ｍ（■■■■■）が形成されていることが、表示されている。
【００６１】
また、Ｇｒｏｕｐ：「Ｂ０１」、ＩＤ：「２２２０８０７７９」、Ｆｉｒｓｔ  Ｎａｍｅ：「Ｃｌｉｆｆｏｒｄ」、Ｌａｓｔ  Ｎａｍｅ：「Ｎｏｒｔｈｍａｎ」の各文字列が形成されている巻き付けラベル１００には、第１番目、第２番目、第５番目が上記塗りつぶし部、それ以外の第３番目、第４番目が上記空白部となる、模様Ｍ（■■□□■）が形成されていることが、表示されている。
【００６２】
また例えば、Ｇｒｏｕｐ：「Ａ０１」、ＩＤ：「４４２９８６４５２」、Ｆｉｒｓｔ  Ｎａｍｅ：「Ｉｎｎｏｃｅｎｔ」、Ｌａｓｔ  Ｎａｍｅ：「Ｂａｇｗｅｌｌ」の各文字列が上記第１ラベル部１６に印字形成されている巻き付けラベル１００（すなわち上記図１０に示した巻き付けラベル１００Ｄ）には、前述したように第１番目、第３番目、第５番目が上記塗りつぶし部、それ以外の第２番目、第４番目が上記空白部となる、模様Ｍ（■□■□■）が形成されていることが、表示されている。
【００６３】
また、Ｇｒｏｕｐ：「Ａ０２」、ＩＤ：「５８０３３９２００」、Ｆｉｒｓｔ  Ｎａｍｅ：「Ｊａｍｉｅ」、Ｌａｓｔ  Ｎａｍｅ：「Ｋｉｌｎｅｒ」の各文字列が形成されている巻き付けラベル１００には、第２番目、第３番目、第４番目が上記塗りつぶし部、それ以外の第１番目、第５番目が上記空白部となる、模様Ｍ（□■■■□）が形成されていることが、表示されている。
【００６４】
また例えば、Ｇｒｏｕｐ：「Ａ０２」、ＩＤ：「８８０３６２５５３」、Ｆｉｒｓｔ  Ｎａｍｅ：「Ｐｅｒｃｅｖａｌ」、Ｌａｓｔ  Ｎａｍｅ：「Ｌａｎｆｒａｎｃ」の各文字列が上記第１ラベル部１６に印字形成されている巻き付けラベル１００（すなわち上記図１０に示した巻き付けラベル１００Ｃ）には、前述したように第２番目〜第５番目が上記塗りつぶし部、それ以外の第１番目が上記空白部となる、模様Ｍ（□■■■■）が形成されていることが、表示されている。
【００６５】
＜リストからの検索＞
そして、上記リスト表示画面３０１Ｃの、上記ラベルリストＬＬの上部には、検索ボックスＫＢが表示される。ユーザは、携帯端末３００Ｂの操作部３０２を適宜に操作して、上記検索ボックスＫＢに対し、目的とする巻き付けラベル１００の印字内容を入力することで、ラベルリストＬＬ中に含まれる対応するデータを検索することができる。図示の例では、検索ボックスＫＢに「Ｊａｍｉｅ」と入力されることで、対応するデータ（Ｇｒｏｕｐ：「Ａ０２」、ＩＤ：「５８０３３９２００」、Ｆｉｒｓｔ  Ｎａｍｅ：「Ｊａｍｉｅ」、Ｌａｓｔ  Ｎａｍｅ：「Ｋｉｌｎｅｒ」のデータがヒットし、（模様Ｍの表示と共に）反転表示されている。これによりユーザは、このデータ中において画像として明示された模様Ｍ（この例では上記□■■■□の模様）を手がかりにして、目的とする巻き付けラベル１００を見つけ出すことができる。
【００６６】
＜操作端末が実行する制御手順＞
上記手法を実現するために、まず、操作端末３００Ａの上記ＣＰＵ３０３が実行する制御手順を図１３のフローに示す。図１３において、このフローは、例えば、操作端末３００の電源がオンされたことを契機に開始される。
【００６７】
まず、ステップＳ１０で、操作端末３００ＡのＣＰＵ３０３は、表示部３０１に制御信号を出力して上記編集画面３０１Ａを表示させるとともに、操作部３０２を介した適宜の操作による、上記テンプレートＴＰの作成を受け付ける。なお例えば複数種類のテンプレートＴＰが事前に大容量記憶装置３０５に用意されており、ユーザが上記操作部３０２を介した操作により上記複数種類のテンプレートＴＰの中から適宜のものを選択するようにしてもよい。さらにその選択されたものを操作部３０２の操作で適宜にアレンジするようにしてもよい。このテンプレートＴＰの作成により、後述のステップＳ２０でデータベースＤＢのファイルを選択したとき、そのファイルに含まれる各レコードのデータをどのように割り付けるか（例えば上記の例では、各レコードのデータ（文字列）を「ＩＤ」「Ｇｒｏｕｐ」「Ｆｉｒｓｔ  Ｎａｍｅ」「Ｌａｓｔ  Ｎａｍｅ」の４つのフィールドに割り付ける）が、決まることになる。
【００６８】
その後、ステップＳ１５で、操作端末３００ＡのＣＰＵ３０３は、模様設定処理を実行する。
【００６９】
図１４に、上記ステップＳ１５の詳細手順を表すフローを示す。図１４において、まずステップＳ１６で、操作端末３００ＡのＣＰＵ３０３は、操作部３０２を介した適宜の操作により、模様Ｍの追加箇所が選択されたか否かを判定する。例えば、図８（ａ）に示した例では第１ラベル部１６の上縁部が上記追加箇所として選ばれた場合であり、図８（ｂ）に示した例では、第１ラベル部１６の下縁部が上記追加箇所として選ばれた場合である。前述したように第１ラベル部１６に限られず第２ラベル部１７の上縁部又は下縁部を追加箇所として選ぶことができ、さらに上記巻き付け部１５を上記追加箇所として選ぶこともできる。また以上のうち、複数箇所を同時に選ぶこともできる。このようにしていずれかの部位が模様Ｍの追加箇所として選択されるまでステップＳ１６の判定が満たされず（Ｓ１６：ＮＯ）、ループ待機する。模様Ｍの追加箇所が選択されたらステップＳ１６の判定が満たされて（Ｓ１６：ＹＥＳ）、ステップＳ１７に移行する。なお、このステップＳ１６が、各請求項記載の第２受付手順に相当する。
【００７０】
ステップＳ１７では、操作端末３００ＡのＣＰＵ３０３は、上記図９で作成されたテンプレートＴＰのうち上記ステップＳ１６で選択された箇所に、模様Ｍを割り付けるための「Ｐａｔｔｅｒｎ」表示欄４５を追加する。
【００７１】
その後、ステップＳ１８に移り、操作端末３００ＡのＣＰＵ３０３は、表示部３０１に制御信号を出力して上記粗さ選択画面３０１Ｂ（図１１参照）を表示させるとともに、操作部３０２を介した適宜の操作により、模様Ｍの粗さ態様が選択されたかを判定する。前述したように、図１１に示す例では、塗りつぶし部又は空白部の組み合わせの粗さ設定として「５分割」「４分割」「３分割」のいずれかが選択可能である。このようにしていずれかの粗さ態様が選択されるまでステップＳ１６の判定が満たされず（Ｓ１８：ＮＯ）、ループ待機する。模様Ｍの粗さ態様が選択されたらステップＳ１８の判定が満たされて（Ｓ１８：ＹＥＳ）、図１３のステップＳ２０に移行する。なお、このステップＳ１８が、各請求項記載の第１受付手順に相当する。
【００７２】
図１３に戻り、ステップＳ２０では、操作端末３００ＡのＣＰＵ３０３は、操作部３０２を介した適宜の操作による、上記データベース印刷を行うための対象とするデータベースＤＢ中のファイルの選択を受け付ける。前述の例では、データベースＤＢ中の「Ｎａｍｅ」ファイルが選択されている。
【００７３】
その後、ステップＳ２５に移り、操作端末３００ＡのＣＰＵ３０３は、操作部３０２を介した適宜の操作による、ラベル作成指示があったか否かを判定する。ラベル作成指示がなされるまではこのステップＳ２５の判定が満たされず（Ｓ２５：ＮＯ）、この判定が満たされるまでループ待機する。ラベル作成指示がなされたらステップＳ２５の判定が満たされて（Ｓ２５：ＹＥＳ）、ステップＳ３０に移行する。
【００７４】
ステップＳ３０では、操作端末３００ＡのＣＰＵ３０３は、ラベル印刷処理を実行する。
【００７５】
図１５に、上記ステップＳ３０の詳細手順を表すフローを示す。図１５において、まずステップＳ３１で、操作端末３００ＡのＣＰＵ３０３は、上記ステップＳ２０で選択されたデータベースＤＢのファイル（前述の例では「Ｎａｍｅ」ファイル）を取得し、そのファイルの各レコードごとに、当該レコードに含まれるデータ（文字列）からハッシュのキーを生成する。前述の例では、例えば、「Ｇｒｏｕｐ」「ＩＤ」「ＦｉｒｓｔＮａｍｅ」「ＬａｓｔＮａｍｅ」それぞれのフィールドのデータ（文字列）をすべて連結した１つの文字列を、上記ハッシュのキーとする。その後、ステップＳ３２に移る。
【００７６】
ステップＳ３２では、操作端末３００ＡのＣＰＵ３０３は、上記ステップＳ３１で各レコードごとに生成したハッシュのキーを、所定のハッシュ関数を用いて、各レコードごとにハッシュ値に変換する。
【００７７】
その後、ステップＳ３３で、操作端末３００ＡのＣＰＵ３０３は、上記ステップＳ３２で変換されたハッシュ値から、対応する模様Ｍの画像を各レコードごとに生成する。この例では、前述のように、塗りつぶし部（上述の「■」）及び空白部（上述の□）の組み合わせによるパターンにより、上記模様Ｍの画像が生成される。なお、その際、上記ステップＳ１８で選択された粗さ（前述の例では５分割）に基づいて、上記模様Ｍの画像の生成が行われる。その後、ステップＳ３４に移る。
【００７８】
ステップＳ３４では、操作端末３００ＡのＣＰＵ３０３は、上記ステップＳ３１で取得されたファイルの各レコードごとに、当該レコードに含まれるデータ（文字列）の画像を生成する。前述の例では、各レコードごとに、「Ｇｒｏｕｐ」「ＩＤ」「ＦｉｒｓｔＮａｍｅ」「ＬａｓｔＮａｍｅ」それぞれのフィールドのデータ（文字列）の画像（言い換えれば、前述の印字Ｒ１，Ｒ２に相当する画像）を生成する。
【００７９】
その後、ステップＳ３５に移り、操作端末３００ＡのＣＰＵ３０３は、上記ステップＳ３３で生成した模様Ｍの画像と、上記ステップＳ３４で生成した文字列の画像（言い換えれば模様Ｍ以外の画像）とを合成する。
【００８０】
その後、ステップＳ３６では、操作端末３００ＡのＣＰＵ３０３は、上記ステップＳ３５で生成した合成画像を含む印字データを、上記通信制御部３０６を介し上記ラベル作成装置１に送信する。その後、このフローを終了して図１３に戻り、さらに図１３のフローも終了する。
【００８１】
なお、以上において、上記ステップＳ３１及びステップＳ３２が各請求項記載の模様特定手順に相当し、上記ステップＳ３３、ステップＳ３４、ステップＳ３５が各請求項記載の印字データ生成手順に相当し、上記ステップＳ３６が各請求項記載の印字データ出力手順に相当している。
【００８２】
＜ラベル作成装置が実行する制御手順＞
次に、上記図１３〜図１５のフローに対応して、ラベル作成装置１の制御回路２（詳細にはＣＰＵ。以下同様）が実行する制御手順を、図１６のフローにより説明する。図１６において、このフローは、例えば、ラベル作成装置１の電源がオンされることを契機に開始される。
【００８３】
まず、ステップＳ１００において、制御回路２は、上記図１５のステップＳ３６において操作端末３００から送信された印字データ（上記巻き付けラベル１００を作成するための印字データ）を受信する。なお、このステップＳ１００を実行する制御回路２のＣＰＵが、各請求項記載の印字データ取得手段として機能する。
【００８４】
その後、ステップＳ１１０において、制御回路２は、搬送ローラ６に制御信号を出力し、テープロール１０Ａからの被印字テープ１０の繰り出し、すなわち被印字テープ１０の搬送を開始させる。
【００８５】
その後、ステップＳ１２０で、制御回路２は、被印字テープ１０が所定量だけ搬送されたかどうかを判定する。なお、この所定量とは、例えば、被印字テープ１０の図示しない印字領域の先端が、印字ヘッド７とほぼ対向する位置に到達するだけの搬送距離である。所定量搬送されるまでステップＳ１２０の判定が満たされず（Ｓ１２０：ＮＯ）、ループ待機する。被印字テープ１０が所定量搬送されたらステップＳ１２０の判定が満たされて（Ｓ１２０：ＹＥＳ）、ステップＳ１３０に移る。
【００８６】
ステップＳ１３０では、制御回路２は、印字ヘッド７に制御信号を出力し、搬送ローラ６により搬送される被印字テープ１０の印字領域（詳細には上記ラベル素材１４上の上記第１印刷面１６ａ及び第２印刷面１７ａに相当する部分）に対し、上記ステップＳ１００で受信された、上記巻き付けラベル１００の作成用の印字データに基づく印字形成を開始させる。
【００８７】
その後、ステップＳ１４０で、制御回路２は、上記ステップＳ１３０で開始した印字ヘッド７による被印字テープ１０の上記印字領域への上記印字データの印字がすべて完了しているかどうかを判定する。印字がすべて完了するまでステップＳ１４０の判定が満たされず（Ｓ１４０：ＮＯ）、ループ待機し、印字がすべて完了したらステップＳ１４０の判定が満たされて（Ｓ１４０：ＹＥＳ）、ステップＳ１５０に移る。
【００８８】
ステップＳ１５０では、制御回路２は、被印字テープ１０がさらに所定量（例えば巻き付けラベル１００の搬送方向上流側端部が上記カッタ９に対向するまでの搬送距離）だけ搬送されたかどうかを判定する。所定量搬送されるまでステップＳ１５０の判定が満たされず（Ｓ１５０：ＮＯ）、ループ待機し、所定量搬送されたらステップＳ１５０の判定が満たされて（Ｓ１５０：ＹＥＳ）、ステップＳ１６０に移る。
【００８９】
ステップＳ１６０では、制御回路２は、搬送ローラ６に制御信号を出力し、ステップＳ１１０で開始させたテープロール１０Ａからの被印字テープ１０の繰り出し、すなわち被印字テープ１０の搬送を停止させる。なお、上記ステップＳ１１０〜ステップＳ１６０を実行する制御回路２のＣＰＵが、各請求項記載の印刷制御手段として機能する。
【００９０】
そして、ステップＳ１７０で、制御回路２は、表示部４に表示信号を出力し、カットレバー８を操作することにより上記印字形成後の被印字テープ１０′を切断可能な状態である旨の表示を行わせる。その後、このフローに示す処理を終了する。上記表示に応じてユーザがカットレバー８を操作すると、カッタ９が作動して印字後の被印字テープ１０′が切断される。この切断によって、適宜の長さの被印字テープ１０′が切り離され、その切り離された部分において上記剥離材１１から所望枚数の巻き付けラベル１００を引き剥がすことができる（但しカッタ９切断が行われない状態であっても、上記巻き付けラベル１００の引き剥がしは可能である）。
【００９１】
＜携帯端末が実行する処理手順＞
次に、上記図１３〜図１６のフローに対応して、携帯端末３００ＢのＣＰＵ３０３が実行する制御手順を、図１７のフローにより説明する。図１７において、このフローは、例えば、携帯端末３００Ｂの電源がオンされたことを契機に開始される。
【００９２】
まず、ステップＳ４０において、携帯端末３００ＢのＣＰＵ３０３は、上記図１３のステップＳ２０と同様、携帯端末３００Ｂの操作部３０２を介した適宜の操作による、探索の対象とする巻き付けラベル１００に対応したデータベースＤＢ中のファイルの選択を受け付ける。前述の例では、データベースＤＢ中の「Ｎａｍｅ」ファイルが選択されることとなる。
【００９３】
その後、ステップＳ４５で、携帯端末３００ＢのＣＰＵ３０３は、携帯端末３００Ｂの操作部３０２を介した適宜の操作による、探索の対象とする巻き付けラベル１００に対応したテンプレートＴＰの選択を受け付ける。前述の例では、上記巻き付けラベル１００Ａ〜１００Ｄ等の作成時に使用した、図８（ａ）又は図８（ｂ）に示したテンプレートＴＰが選択されることとなる。受付後は、当該選択されたテンプレートＴＰを、上記操作端末３００Ａから取得する。その後、ステップＳ５０に移る。
【００９４】
ステップＳ５０では、携帯端末３００ＢのＣＰＵ３０３は、上記図１５のステップＳ３１と同様、上記ステップＳ４０で選択されたデータベースＤＢのファイル（前述の例では「Ｎａｍｅ」ファイルとなる）を取得し、そのファイルの各レコードごとに、当該レコードに含まれるデータ（文字列）からハッシュのキーを生成する。その後、ステップＳ５５に移る。
【００９５】
ステップＳ５５では、携帯端末３００ＢのＣＰＵ３０３は、上記図１５のステップＳ３２と同様、上記ステップＳ５０で各レコードごとに生成したハッシュのキーを、上記所定のハッシュ関数を用いて各レコードごとにハッシュ値に変換する。
【００９６】
その後、ステップＳ６０で、携帯端末３００ＢのＣＰＵ３０３は、上記図１５のステップＳ３３と同様、上記ステップＳ５５で変換されたハッシュ値から、対応する模様Ｍの画像を各レコードごとに生成する。この例では、既に述べたように、塗りつぶし部（上述の「■」）及び空白部（上述の□）の組み合わせによるパターンによる上記模様Ｍの画像が生成されることとなる。
【００９７】
そして、ステップＳ６５に移り、携帯端末３００ＢのＣＰＵ３０３は、上記ステップＳ４０で選択されステップＳ５０で取得された上記ファイルの全レコードについて、各フィールド（上記ステップＳ４５で選択したテンプレートＴＰに対応）のデータ（文字列）と、対応する模様Ｍの画像（上記ステップＳ６０で生成済み）とを、相関として対応付けた上記ラベルリストＬＬを生成する。そして、携帯端末３００Ｂの上記表示部３０１に制御信号を出力し、生成した上記ラベルリストＬＬを含む上記リスト表示画面３０１Ｃ（上記図１２参照）を表示させる。その後、ステップＳ７０に移る。なお、このステップＳ６５が各請求項記載のリスト表示手順に相当する。
【００９８】
ステップＳ７０では、携帯端末３００ＢのＣＰＵ３０３は、上記ステップＳ６５で表示されたラベルリストＬＬにおいて、携帯端末３００Ｂの操作部３０２を介した適宜の操作による、探索対象とする巻き付けラベル１００の検索を実行し、その検索結果を表示する。図１２を用いて前述した例では、検索ボックスＫＢへ入力された「Ｊａｍｉｅ」により「Ｎａｍｅ」ファイル中の全データの検索が行われ、ヒット結果である、Ｇｒｏｕｐ：「Ａ０２」、ＩＤ：「５８０３３９２００」、Ｆｉｒｓｔ  Ｎａｍｅ：「Ｊａｍｉｅ」、Ｌａｓｔ  Ｎａｍｅ：「Ｋｉｌｎｅｒ」のデータが、対応する模様Ｍの画像表示共に、反転表示される。このステップＳ７０が完了したら、このフローを終了する。
【００９９】
＜実施形態の効果＞
以上説明したように、本実施形態においては、作成された巻き付けラベル１００において、第１及び第２ラベル部１６，１７の上縁部に各ラベル固有の模様Ｍが形成されている。これにより、ユーザは、複数の巻き付けラベル１００が折り重なるように密集して配置され、上記印刷面１６ａ，１７ａの印字内容が見えにくい状態であったとしても、各ラベルと対応する模様Ｍとの相関（前述の例では上記ラベルリストＬＬにおける、各ラベル１００と上記模様Ｍの外観画像との対応付け）に基づき、上記密集した状態の中で当該模様Ｍを探すことで、目的とする巻き付けラベル１００を容易に見つけ出すことができる。この結果、利便性を向上することができる。
【０１００】
また、本実施形態では特に、模様Ｍ付きの巻き付けラベル１００を作成した後、その作成した巻き付けラベル１００を上記のようにして模様Ｍを手がかりに探すとき、上記携帯端末３００Ｂの表示部３０１に表示されたリスト表示画面３０１Ｃ中のラベルリストＬＬ中に画像として明示された模様Ｍを用いて、容易に目的の巻き付けラベル１００を見つけ出すことができる。
【０１０１】
また、本実施形態では特に、上記図１１の粗さ選択画面３０１Ｂにおいて、模様Ｍをどのような粗さで形成するか（例えば模様を比較的疎にするか密にするか等）をユーザの所望の態様にすることができるので、さらに利便性を向上することができる。
【０１０２】
また、本実施形態では特に、模様Ｍをどの箇所に形成するか（例えば第１印刷面１６ａの上縁部に形成するか下縁部に形成するか、巻き付け部１５に形成するか、等）をユーザの所望にすることができる（図１４のステップＳ１６参照）。これにより、さらに利便性を向上することができる。
【０１０３】
また、本実施形態では特に、模様Ｍが、第１印刷面１６ａと第２印刷面１７ａとの境界線に関して互いに線対称となるように形成される（上記図３（ａ）参照）。これにより、使用時に上記のように第２ラベル部１７が第１ラベル部１６側へ折り返されて貼り付けられている状態で、第１印刷面１６ａに形成された模様Ｍと、第２印刷面１７ａに形成された模様Ｍとを、視覚的に同等とすることができる。
【０１０４】
また、本実施形態では特に、模様Ｍの生成時に、各巻き付けラベル１００における印字内容に対し、所定の計算式を備えた関数（上記の例ではハッシュ関数）を用いて模様Ｍとの対応付けがなされる。このように、演算によって自動的に模様Ｍが特定されることにより、円滑かつ確実に模様Ｍの特定及び（これに対応した模様Ｍの画像を含む）印字データの生成を行うことができる。
【０１０５】
なお、本発明は、上記実施形態に限られるものではなく、その趣旨及び技術的思想を逸脱しない範囲内で種々の変形が可能である。以下、そのような変形例を順を追って説明する。上記実施形態と同等の部分には同一の符号を付し、適宜、説明を省略又は簡略化する。
【０１０６】
（１）模様の形成箇所や態様のバリエーション
上述したように、上記模様Ｍの形成箇所は、上記第１ラベル部１６や第２ラベル部１７に限られない。例えば、第１及び第２ラベル部１６，１７の第１及び第２印刷面１６ａ，１７ａのケーブル２０からの距離があまり大きくならず当該第１及び第２印刷面１６ａ，１７ａの外縁部（上縁部又は下縁部）への模様Ｍの形成では効果が出にくいような場合には、（仮に巻き付け部１５の長さが比較的短い場合であっても）巻き付け部１５を活用して模様Ｍを形成してもよい。これにより、ユーザによる上記見つけやすさを確保することができる。
【０１０７】
また、模様Ｍは、上記のように塗りつぶし部及び空白部の組み合わせによるパターンに限られず、他の態様でもよい。例えば、巻き付け部１５の延設方向（若しくはそれに直交する方向）に延びる複数の太直線・細直線の組み合わせパターンからなる、所謂バーコード状に形成されていても良い。この場合も上記同様の効果を得る。
【０１０８】
（２）Ｔ型ラベルへの適用
以上においては、図３及び図４を用いて前述したように、巻き付けラベル１００として、使用時において軸心を上下方向とする被着体２０（ケーブル）に取り付けた際、第１ラベル部１６及び第２ラベル部１７が左右方向に突出し、かつ文字列方向も左右方向となる、Ｐ型ラベル（図３等参照）である場合を例にとって説明したが、これに限られない。すなわち、軸心方向を左右方向とする被着体４０に取り付けた際、第１ラベル部１６及び第２ラベル部１７が上下方向に突出し、文字列方向が左右方向となる、いわゆるＴ型ラベルに対して本発明を適用しても良い。そのような変形例を図１８及び図１９により説明する。
【０１０９】
＜巻き付けラベルの外観＞
本変形例の巻き付けラベル２００は、図１８（ａ）に示すように、図示上下方向に延びる細長の矩形の巻き付け部２５と、巻き付け部２５の上下方向一端部（この例では上端部）から図示上下方向に連接され、印字Ｒ１が印刷された第１印刷面２６ａを備えた第１ラベル部２６と、第１ラベル部２６から図示上下方向の一方側（この例では上方側）に連接され、印字Ｒ２が印刷された第２印刷面２７ａを備えた第２ラベル部２７と、を有する。第１ラベル部２６と第２ラベル部２７とは、左右方向に横長の同形の矩形状となっている。
【０１１０】
印字Ｒ１において、文字列「ＡＢＣＤＥ」（印字オブジェクトに相当）が、第１印刷面２６ａの左右方向略中央部において、巻き付け部２５の側の下方端部に寄せて、正立した姿勢で左右方向に印刷されている。
【０１１１】
印字Ｒ２において、文字列「ＸＹＺ」（印字オブジェクトに相当）が、第２印刷面１７ａの左右方向略中央部において、巻き付け部２５と反対側の上方端部に寄せて、１８０°回転した倒立した姿勢で左右方向に印刷されている。
【０１１２】
そして、上記構成の巻き付けラベル２００は、使用時には、まず、図１８（ｂ）に示すように、第２ラベル部２７を、印刷面２７ａが第１ラベル部２６の背面側で露出するように山折りの形（図１８（ａ）に山折り線Ｋ′を一点鎖線で示す）第１ラベル部２６側へと折り返され、折り返された第２ラベル部２７が第１ラベル部２６に対し（それらの裏面の粘着剤層により）貼り付けられる。
【０１１３】
なお、図１８に示すように（後述の図１９も参照）、上記第１ラベル部２６及び第２ラベル部２７の外縁部（後述の図１９に示すようにこの例では上縁部）には、上記実施形態と同様、各巻き付けラベル２００に固有の模様Ｍが形成されている。なお、図１８（ａ）に示すように、この例では、第１ラベル部２６に形成される模様Ｍと、第２ラベル部２７に形成される模様Ｍとは、上記山折り線Ｋ′（言い換えれば印刷面２６ａと印刷面２７ａとの境界線）に関して、互いに線対称となるように形成されている。
【０１１４】
＜巻き付けラベルの使用形態＞
その後、上記図１８（ｂ）のように折り返された巻き付けラベル２００は、図１９（ａ）に示すように、図示左右方向を軸心方向とする円環状又はケーブル状の被着体４０（この例ではケーブル。以下適宜、単に「ケーブル４０」と称する）の周囲に巻き付け部２５の上下方向略中央部が位置するように巻き付けてから折り返される。次に、巻き付け部２５の裏面の接着剤層により、巻き付け部２５の折り返しによる重なり部分を互いに接着するとともに、巻き付け部２５のケーブル４０周囲の巻き付けた部分をケーブル４０の周囲に接着する。
【０１１５】
以上により、ケーブル４０に巻き付けラベル２００が取り付けられ、重なり合った第１ラベル部２６と第２ラベル部２７とが巻き付け部２５から、図示上下方向に突出する（いわゆるＴ型ラベル）。図１９（ａ）はケーブル４０に取り付けられた巻き付けラベル２００を正面側（第１ラベル部２６側）から見た外観を示している。図示のように、第１ラベル部２６において、第１印刷面２６ａに文字列「ＡＢＣＤＥ」が、巻き付け部２５の側の端部に寄せた位置態様で正立姿勢で表記されている。
【０１１６】
図１９（ｂ）は、ケーブル４０に取り付けられた巻き付けラベル２００を背面側（第２ラベル部２７側）から見た外観を示している。図示のように、第２ラベル部２７において、第２印刷面２７ａに文字列「ＸＹＺ」が、巻き付け部２５の側の端部に寄せた位置態様で正立姿勢で表記されている。
【０１１７】
本変形例では、上記のようなＴ型ラベルである巻き付けラベル２００に対しても、上記巻き付けラベル１００と同様の手法により、同様の模様Ｍが形成されている。これにより、前述と同様の効果を得ることができる。
【０１１８】
（３）その他
以上においては、ラベル作成装置１に対し情報送受信可能に接続される操作端末３００Ａ及び携帯端末３００Ｂにおいて、図１３〜図１５及び図１７のフローに示す各処理を実行したが、これに限られず、装置単独で動作可能ないわゆるスタンドアローンタイプのラベル作成装置１に本発明を適用しても良い。この場合、当該ラベル作成装置１の制御回路２のＣＰＵが、上記操作端末３００Ａ及び上記携帯端末３００Ｂに代わり、操作部３を介した各種操作を受け付けたり表示部４での各種表示を行いつつ、図１３〜図１５及び図１７のフローに示す各処理と同等の処理を実行する。この場合も前述と同様の効果を得る。
【０１１９】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１２０】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１２１】
但し、例えばしきい値や基準値等、所定の判定基準となる値あるいは区切りとなる値の記載がある場合は、それらに対しての「同一」「等しい」「異なる」等は、上記とは異なり、厳密な意味である。
【０１２２】
なお、以上において、図１中に示す矢印は信号の流れの一例を示すものであり、信号の流れ方向を限定するものではない。
【０１２３】
また、図１３、図１４、図１５、図１６、図１７に示すフローチャートは本発明を上記フローに示す手順に限定するものではなく、発明の趣旨及び技術的思想を逸脱しない範囲内で手順の追加・削除又は順番の変更等をしてもよい。
【０１２４】
また、以上既に述べた以外にも、上記実施形態や各変形例による手法を適宜組み合わせて利用しても良い。
【０１２５】
その他、一々例示はしないが、本発明は、その趣旨を逸脱しない範囲内において、種々の変更が加えられて実施されるものである。
【符号の説明】
【０１２６】
１              ラベル作成装置（巻き付けラベルの作成装置）
１５            巻き付け部
１６            第１ラベル部
１６ａ          第１印刷面
１７            第２ラベル部
１７ａ          第２印刷面
２０            被着体
２５            巻き付け部
２６            第１ラベル部
２６ａ          第１印刷面
２７            第２ラベル部
２７ａ          第２印刷面
４０            ケーブル（被着体）
１００          巻き付けラベル
２００          巻き付けラベル
３００          操作端末
３０３          ＣＰＵ（演算手段）
Ｍ              模様
Ｒ１            第１印字（印字オブジェクト）
Ｒ２            第２印字（印字オブジェクト）
【図１】
0006327527.tif 000002
【図２】
0006327527.tif 000003
【図３】
0006327527.tif 000004
【図４】
0006327527.tif 000005
【図５】
0006327527.tif 000006
【図６】
0006327527.tif 000007
【図７】
0006327527.tif 000008
【図８】
0006327527.tif 000009
【図９】
0006327527.tif 000010
【図１０】
0006327527.tif 000011
【図１１】
0006327527.tif 000012
【図１２】
0006327527.tif 000013
【図１３】
0006327527.tif 000014
【図１４】
0006327527.tif 000015
【図１５】
0006327527.tif 000016
【図１６】
0006327527.tif 000017
【図１７】
0006327527.tif 000018
【図１８】
0006327527.tif 000019
【図１９】
0006327527.tif 000020